(57)【要約】【課題】扉体を開放操作した際に扉体の端縁が箱本体の側面から突出する量を小さくして、箱本体を壁の隅に設置する場合に箱本体の側面と壁面との隙間を小さくし、体裁を良くする。【解決手段】電気機器収納用箱体１の蝶番４は、箱本体２の開口枠２ａの外側に設けられて筒状部５ａを有する箱本体側蝶番５と、扉体３の箱本体側蝶番５の両端面と対向する位置に設けられて箱本体側蝶番５の両端面に平行な板状部６ａを有する扉体側蝶番６と、箱本体側蝶番５の筒状部５ａの挿通孔５ｂと扉体側蝶番６の板状部６ａに形成された挿通孔６ｂとに挿通される蝶番ピン７とで成り、扉体側蝶番６を扉体３に固定するために扉体３の内側に当接して設けられる固定板部６ｃｂに切り抜き部６ｅを形成し、箱本体側蝶番５と扉体側蝶番６を蝶着した際に扉体側蝶番６の切り抜き部６ｅに箱本体側蝶番５の筒状部５ａが嵌まるようにする。【選択図】図１
2010275698.tif 000002
【特許請求の範囲】
【請求項１】
箱本体の開口枠の外側に設けられて筒状部を有する箱本体側蝶番と、扉体の前記箱本体側蝶番の両端面と対向する位置に設けられて前記箱本体側蝶番の両端面に平行な板状部を有する扉体側蝶番と、前記箱本体側蝶番の筒状部の挿通孔と前記扉体側蝶番の板状部に形成された挿通孔とに挿通される蝶番ピンとを備えて成る電気機器収納用箱体の蝶番において、前記扉体側蝶番は前記扉体の内側に当接して設けられる固定板部に前記箱本体側蝶番の筒状部が嵌まる切り抜き部を形成したことを特徴とする電気機器収納用箱体の蝶番。
【請求項２】
前記扉体側蝶番の固定板部の端縁を前記扉体の側板部の端縁と一致するように形成し、前記扉体を開放した際に前記固定板部の端縁が前記箱本体側蝶番に当接することを特徴とする請求項１に記載の電気機器収納用箱体の蝶番。
【請求項３】
前記蝶番ピンの基端部をＬ字状に形成したことを特徴とする請求項１又は請求項２に記載の電気機器収納用箱体の蝶番。
【発明の詳細な説明】
【技術分野】
【０００１】
本発明は、電気機器収納用箱体の箱本体の開口部に扉体を蝶着するための蝶番に関する。
【背景技術】
【０００２】
従来、各種電気機器を収納する電気機器収納用箱体の箱本体の開口部に扉体を蝶着するための蝶番としては、箱本体に設けられて筒状部を有する箱本体側蝶番と、扉体に箱本体側蝶番の両端面と対向する位置に設けられて箱本体側蝶番の両端面に平行な板状部を有する扉体側蝶番と、箱本体側蝶番の筒状部の挿通孔と扉体側蝶番の板状部に形成された挿通孔とに挿通される蝶番ピンとで構成するものがあった。（例えば、特許文献１参照。）。
【先行技術文献】
【特許文献】
【０００３】
【特許文献１】特開２００５−２９４２９９号公報（図２）
【発明の概要】
【発明が解決しようとする課題】
【０００４】
従来の蝶番は扉体側蝶番を扉体の内側に固定するため、板状部間に設けられる固定板部に箱本体側蝶番の筒状部が干渉しないように扉体側蝶番の挿通孔が板状部の略中央に形成されていた。この構造では蝶番ピンと扉体との間の寸法が大きいため、箱本体側蝶番を箱本体の開口枠の外側に設け、扉体の側面と箱本体の側面とを一致するように配置する電気機器収納用箱体では、扉体を開放操作した際に扉体の端縁が箱本体の側面から突出する量が大きくなり、箱本体を壁の隅に設置する場合に箱本体の側面と壁面との隙間を大きくとらなければならず、限られたスペースで取り付けが困難な場合があった。また、箱本体の側面と壁面との隙間が大きくなると体裁が良くないという問題があった。
【課題を解決するための手段】
【０００５】
請求項１に記載の発明によれば、箱本体の開口枠の外側に設けられて筒状部を有する箱本体側蝶番と、扉体の箱本体側蝶番の両端面と対向する位置に設けられて箱本体側蝶番の両端面に平行な板状部を有する扉体側蝶番と、箱本体側蝶番の筒状部の挿通孔と扉体側蝶番の板状部に形成された挿通孔とに挿通される蝶番ピンとを備えて成る電気機器収納用箱体の蝶番において、扉体側蝶番は扉体の内側に当接して設けられる固定板部に箱本体側蝶番の筒状部が嵌まる切り抜き部を形成したことを特徴とする。
【０００６】
請求項２に記載の発明によれば、請求項１に記載の電気機器収納用箱体の蝶番において、扉体側蝶番の固定板部の端縁を扉体の側板部の端縁と一致するように形成し、扉体を開放した際に固定板部の端縁が箱本体側蝶番に当接することを特徴とする。
【０００７】
請求項３に記載の発明によれば、請求項１又は請求項２に記載の電気機器収納用箱体の蝶番において、蝶番ピンの基端部をＬ字状に形成したことを特徴とする。
【発明の効果】
【０００８】
請求項１に記載の発明によれば、蝶番ピンと扉体の間の寸法を小さくすることができるので、扉体を開放操作する際に扉体の端縁が箱本体の側面から突出する量を小さくすることができ、箱本体を壁の隅に設置する場合に箱本体の側面と壁面との隙間を小さくすることができ、限られたスペースでも取り付けができるという効果がある。また、箱本体の側面と壁面との隙間を小さくすることで体裁を良くすることができるという効果がある。
【０００９】
請求項２に記載の発明によれば、請求項１に記載の発明の効果に加えて、扉体を開放した際に扉体の板厚と扉体側蝶番の固定板部の板厚とが合わさった２重部分が箱本体側蝶番に当接するので扉体の変形を防止することができるという効果がある。
【００１０】
請求項３に記載の発明によれば、請求項１又は請求項２に記載の発明の効果に加えて、蝶番ピンの基端部が扉体に干渉することなく蝶番ピンを扉体側蝶番と箱本体側蝶番の挿通孔に挿通させることができ、また、蝶番ピンの基端部を指でつまみやすいので工具を使用することなく容易に蝶番ピンの抜き差しができるという効果がある。
【図面の簡単な説明】
【００１１】
【図１】本発明の実施例１に係る電気機器収納用箱体の蝶番部分を示す分解斜視図である。
【図２】蝶番の分解斜視図である。
【図３】電気機器収納用箱体の扉体を閉じた状態の部分断面図である。
【図４】電気機器収納用箱体の扉体を開いた状態の部分断面図である。
【図５】電気機器収納用箱体の部分斜視図である。
【図６】本発明の実施例２に係る電気機器収納用箱体の蝶番部分を示す分解斜視図である。
【図７】蝶番の分解斜視図である。
【図８】電気機器収納用箱体の扉体を閉じた状態の部分断面図である。
【図９】電気機器収納用箱体の扉体を開いた状態の部分断面図である。
【図１０】電気機器収納用箱体の部分斜視図である。
【発明を実施するための形態】
【００１２】
電気機器収納用箱体の蝶番は、箱本体の開口枠の外側に設けられて筒状部を有する箱本体側蝶番と、扉体の箱本体側蝶番の両端面と対向する位置に設けられて箱本体側蝶番の両端面に平行な板状部を有する扉体側蝶番と、箱本体側蝶番の筒状部の挿通孔と扉体側蝶番の板状部に形成された挿通孔とに挿通される蝶番ピンとを備えて成り、扉体側蝶番を扉体に固定するために扉体の内側に当接して設けられる固定板部に切り抜き部を形成し、箱本体側蝶番と扉体側蝶番を蝶着した際に扉体側蝶番の切り抜き部に箱本体側蝶番の筒状部が嵌まるようにする。
【実施例１】
【００１３】
本発明に係る電気機器収納用箱体の蝶番の実施例１を図１〜図５の添付図面に基づいて説明する。
【００１４】
電気機器収納用箱体１は、前面を開口した箱本体２と、箱本体２の開口部を開閉自在に閉塞する扉体３と、箱本体２に扉体３を蝶着する蝶番４とを備えて構成している。
【００１５】
蝶番４は箱本体２の開口枠２ａの左右一方の少なくとも上下２箇所に設けられる箱本体側蝶番５と、扉体３の内側の箱本体側蝶番５と対向する位置に設けられる扉体側蝶番６と、箱本体側蝶番５と扉体側蝶番６とを連結する蝶番ピン７と、蝶番ピン７の抜け止めのための抜け止め部材８とで構成している。
【００１６】
箱本体側蝶番５は蝶番ピン７が挿通する挿通孔５ｂを形成した２つの筒状部５ａと、箱本体２に固定するための取付板部５ｃとで成り、取付板部５ｃを箱本体２の開口枠２ａの外側に当接させ、ネジ９で固定して取り付けられている。
【００１７】
扉体側蝶番６は箱本体側蝶番５の２つの筒状部５ａの外端面と対向する位置に筒状部５ａの端面と平行に設けられ、蝶番ピン７が挿通する挿通孔６ｂを形成した２つの板状部６ａと、板状部６ａを連結して扉体３に固定するための固定板部６ｃと、板状部６ａを外側に折曲して扉体３の内側に固定される脚板部６ｄとで成っている。
【００１８】
扉体側蝶番６の固定板部６ｃは扉体３の主板部３ａの内側に溶接して固定される第１固定板部６ｃａと、扉体３の側板部３ｂの内側に溶接して固定される第２固定板部６ｃｂとを有し、第２固定板部６ｃｂには箱本体側蝶番５の筒状部５ａが嵌まる切り抜き部６ｅが形成されている。そして、板状部６ａの挿通孔６ｂは箱本体側蝶番５の筒状部５ａが第２固定板部６ｃｂの切り抜き部６ｅに嵌まるように板状部６ａの隅部に形成されている。また、第２固定板部６ｃｂの端縁は扉体３の側板部３ｂの端縁と一致するように形成されている。
【００１９】
箱本体側蝶番５と扉体側蝶番６に挿通される蝶番ピン７は基端部がＬ字状に折曲されてツマミ部７ａが形成されている。蝶番ピン７をＬ字状に形成することで取付時に蝶番ピン７の基端部が扉体３に干渉することがなく、また、蝶番ピン７のツマミ部７ａを指でつまみやすいので工具を使用することなく容易に蝶番ピン７の抜き差しができるようになる。
【００２０】
蝶番ピン７を抜け止めするための抜け止め部材８は箱本体２の開口枠２ａの端縁に嵌め込まれる取付溝部８ａと、開口枠２ａの折曲部に係止する係止部８ｂと、蝶番ピン７のツマミ部７ａが当接して抜け止めをする抜け止め部８ｃと、抜け止め部８ｃから幅方向に延設されて蝶番ピン７のツマミ部７ａが後方に向かないように回転するのを防止する回り止め部８ｄとを有して形成されている。
【００２１】
抜け止め部材８が取り付けられる箱本体２の開口枠２ａの端縁には凹部２ｂが形成されている。抜け止め部材８は凹部２ｂに取付溝部８ａを嵌めて取り付けることで蝶番ピン７の挿通方向に抜け止め部材８がずれるのを防止するようになっている。
【００２２】
このように構成された蝶番４は、箱本体側蝶番５の筒状部５ａの両端を挟むように扉体側蝶番６の板状部６ａを嵌め合わせ、扉体側蝶番６の一方の板状部６ａの挿通孔６ｂ、箱本体側蝶番５の筒状部５ａの挿通孔５ｂ、扉体側蝶番６の他方の板状部６ａの挿通孔６ｂと順に蝶番ピン７を挿通させることで箱本体２に扉体３を蝶着する。そして、箱本体２の開口枠２ａの凹部２ｂに抜け止め部材８を取り付け、蝶番ピン７を抜け止めをする。尚、扉体３を箱本体２から取り外すには抜け止め部材８を取り外し、蝶番ピン７を引き抜くことにより行う。
【００２３】
こうして設けられた蝶番４は、箱本体側蝶番５の筒状部５ａは扉体側蝶番６の切り抜き部６ｅに嵌まり、蝶番ピン７の軸部と扉体３の側板部３ｂの間の寸法を小さくすることができるので、扉体３を開放操作する際に扉体３の端縁が箱本体２の側面から突出する量を小さくすることができ、箱本体２を壁の隅に設置する場合に箱本体２の側面と壁面との隙間を小さくすることができ、限られたスペースでも取り付けができる。また、箱本体の側面と壁面との隙間を小さくすることで体裁が良好となる。
【００２４】
また、扉体側蝶番６の第２固定板部６ｃｂの端縁を扉体３の側板部３ｂの端縁と一致するように形成したので、扉体３を開放操作した際に扉体３の板厚と扉体側蝶番６の第２固定板部６ｃｂの板厚とが合わさった２重部分が箱本体側蝶番５の取付板部５ｃに当接するので扉体３の変形を防止することができる。
【００２５】
尚、本実施例において、箱本体側蝶番は２つの筒状部を有する形状にしたが１つでも良く、また、箱本体側蝶番をネジにより固定したが溶接により固定しても良い。また、扉体側蝶番は固定板部の外側に脚板部を形成したが無くても問題なく、その他、蝶番の形状・構造について本発明の趣旨を逸脱しない範囲で適宜に変更して実施することが可能である。
【実施例２】
【００２６】
本発明に係る電気機器収納用箱体の蝶番の実施例２を図６〜図１０の添付図面に基づいて説明する。
【００２７】
電気機器収納用箱体２１は、前面を開口した箱本体２２と、箱本体２２の開口部を開閉自在に閉塞する扉体２３と、箱本体２２に扉体２３を蝶着する蝶番２４とを備えて構成している。
【００２８】
蝶番２４は箱本体２２の開口枠２２ａの左右一方の少なくとも上下２箇所に設けられる箱本体側蝶番２５と、扉体２３の内側の箱本体側蝶番２５と対向する位置に設けられる扉体側蝶番２６と、箱本体側蝶番２５と扉体側蝶番２６とを連結する蝶番ピン２７と、蝶番ピン２７の抜け止めのための抜け止め部材２８とで構成している。
【００２９】
箱本体側蝶番２５は蝶番ピン２７が挿通する挿通孔２５ｂを形成した２つの筒状部２５ａと、箱本体２２に固定するための取付板部２５ｃとで成り、取付板部２５ｃを箱本体２２の開口枠２２ａの外側に当接させ、ネジ２９で固定して取り付けられている。
【００３０】
扉体側蝶番２６は箱本体側蝶番２５の２つの筒状部２５ａの外端面と対向する位置に筒状部２５ａの端面と平行に設けられ、蝶番ピン２７が挿通する挿通孔２６ｂを形成した２つの板状部２６ａと、板状部２６ａを連結して扉体２３に固定するための固定板部２６ｃと、板状部２６ａを外側に折曲して扉体２３の内側に固定される脚板部２６ｄとで成っている。
【００３１】
扉体側蝶番２６の固定板部２６ｃは扉体２３の主板部２３ａの内側に溶接して固定される第１固定板部２６ｃａと、扉体２３の側板部２３ｂの内側に溶接して固定される第２固定板部２６ｃｂとを有し、第１固定板部２６ｃａと第２固定板部２６ｃｂに連続するように箱本体側蝶番２５の筒状部２５ａが嵌まる切り抜き部２６ｅが形成されている。そして、板状部２６ａの挿通孔２６ｂは箱本体側蝶番２５の筒状部２５ａが第１固定板部２６ｃａと第２固定板部２６ｃｂの切り抜き部２６ｅに嵌まるように板状部２６ａの角部に形成されている。また、第２固定板部２６ｃｂの端縁は扉体２３の側板部２３ｂの端縁と一致するように形成されている。
【００３２】
箱本体側蝶番２５と扉体側蝶番２６に挿通される蝶番ピン２７は基端部がＬ字状に折曲されてツマミ部２７ａが形成されている。蝶番ピン２７をＬ字状に形成することで取付時に蝶番ピン２７の基端部が扉体２３に干渉することがなく、また、蝶番ピン２７のツマミ部２７ａを指でつまみやすいので工具を使用することなく容易に蝶番ピン２７の抜き差しができるようになる。
【００３３】
蝶番ピン２７を抜け止めするための抜け止め部材２８は箱本体２２の開口枠２２ａの端縁に嵌め込まれる取付溝部２８ａと、開口枠２２ａの折曲部に係止する係止部２８ｂと、蝶番ピン７のツマミ部２７ａが当接して抜け止めをする抜け止め部２８ｃとを有して形成されている。
【００３４】
抜け止め部材２８が取り付けられる箱本体２２の開口枠２２ａの端縁には凹部２２ｂが形成されている。抜け止め部材２８は凹部２２ｂに取付溝部２８ａを嵌めて取り付けることで蝶番ピン２７の挿通方向に抜け止め部材２８がずれるのを防止するようになっている。
【００３５】
このように構成された蝶番２４は、箱本体側蝶番２５の筒状部２５ａの両端を挟むように扉体側蝶番２６の板状部２６ａを嵌め合わせ、扉体側蝶番２６の一方の板状部２６ａの挿通孔２６ｂ、箱本体側蝶番２５の筒状部２５ａの挿通孔２５ｂ、扉体側蝶番２６の他方の板状部２６ａの挿通孔２６ｂと順に蝶番ピン２７を挿通させることで箱本体２２に扉体２３を蝶着する。そして、箱本体２２の開口枠２２ａの凹部２２ｂに抜け止め部材２８を取り付け、蝶番ピン２７を抜け止めをする。尚、扉体２３を箱本体２２から取り外すには抜け止め部材２８を取り外し、蝶番ピン２７を引き抜くことにより行う。
【００３６】
こうして設けられた蝶番２４は、箱本体側蝶番２５の筒状部２５ａは扉体側蝶番２６の切り抜き部２６ｅに嵌まり、蝶番ピン２７の軸部と扉体２３の主板部２３ａの間の寸法及び軸部と側板部２３ｂの間の寸法の両方の寸法を小さくすることができるので、扉体２３を開放操作する際に扉体２３の端縁が箱本体２２の側面から突出する量を小さくすることができ、箱本体２２を壁の隅に設置する場合に箱本体２２の側面と壁面との隙間を小さくすることができ、限られたスペースでも取り付けができる。また、箱本体の側面と壁面との隙間を小さくすることで体裁が良好となる。
【００３７】
また、扉体側蝶番２６の第２固定板部２６ｃｂの端縁を扉体２３の側板部２３ｂの端縁と一致するように形成したので、扉体２３を開放操作した際に扉体２３の板厚と扉体側蝶番２６の第２固定板部２６ｃｂの板厚とが合わさった２重部分が箱本体側蝶番２５の取付板部２５ｃに当接するので扉体２３の変形を防止することができる。
【００３８】
尚、本実施例において、箱本体側蝶番は２つの筒状部を有する形状にしたが１つでも良く、また、箱本体側蝶番をネジにより固定したが溶接により固定しても良い。また、扉体側蝶番は固定板部の外側に脚板部を形成したが無くても問題なく、その他、蝶番の形状・構造について本発明の趣旨を逸脱しない範囲で適宜に変更して実施することが可能である。
【符号の説明】
【００３９】
１    電気機器収納用箱体
２    箱本体
２ａ    開口枠
２ｂ    凹部
３    扉体
３ａ    主板部
３ｂ    側板部
４    蝶番
５    箱本体側蝶番
５ａ    筒状部
５ｂ    挿通孔
５ｃ    取付板部
６    扉体側蝶番
６ａ    板状部
６ｂ    挿通孔
６ｃ    固定板部
６ｃａ    第１固定板部
６ｃｂ    第２固定板部
６ｄ    脚板部
６ｅ    切り抜き部
７    蝶番ピン
７ａ    ツマミ部
８    抜け止め部材
８ａ    取付溝部
８ｂ    係止部
８ｃ    抜け止め部
８ｄ    回り止め部
９    ネジ
【図１】
2010275698.tif 000003
【図２】
2010275698.tif 000004
【図３】
2010275698.tif 000005
【図４】
2010275698.tif 000006
【図５】
2010275698.tif 000007
【図６】
2010275698.tif 000008
【図７】
2010275698.tif 000009
【図８】
2010275698.tif 000010
【図９】
2010275698.tif 000011
【図１０】
2010275698.tif 000012